(57)【要約】【課題】収納、ストック、運送に便利な折畳式引出し装置の提供。【解決手段】左側板と右側板、背板を底板の内側に向けて折り重ねて小体積とでき、面板を引出し装置より取り外せ、折畳後の引出し上方に重ね置いて大幅に該引出し装置収納時の体積を減らせる。該引出し装置の底板の左右両側端及び後端に凸壁を設け、各凸壁の内側面にスロットを有する凸座を設ける。該左側板と右側板、背板の底端に該スロットに対応する水平凸軸を具えた凹部を設け、各水平凸軸を対応するスロット内に挿入し、該左側板と右側板、背板を該底板上に組合せ、且つ各水平凸軸を中心として底板の内側に向けて平らに折畳むか、或いは外側に向けて直立状に立てられるようにした。【選択図】図１
2009051508.tif 000002
【特許請求の範囲】
【請求項１】
折畳式引出し装置において、
底板であって、その左右両側端及び後端にそれぞれ凸壁が設けられ、各凸壁の内側面に少なくとも一つの凸座が設けられ、該凸座に少なくとも一つのスロットが設けられた、上記底板と、
左側板であって、その底端に少なくとも一つの、該底板の左側端の凸壁の凸座が挿入される凹部が設けられ、該凹部内に少なくとも一つの水平凸軸が設けられ、各該水平凸軸が該底板の左側端の凸壁の各凸座の対応するスロット内に挿入され、該左側板が各該水平凸軸を中心として該底板の内側に向けて折畳可能とされ、該左側板が回され直立状とされる時、その下端の外側面が該底板の左側端の凸壁の内側面に係止される、上記左側板と、
右側板であって、その底端に少なくとも一つの、該底板の右側端の凸壁の凸座が挿入される凹部が設けられ、該凹部内に少なくとも一つの水平凸軸が設けられ、各該水平凸軸が該底板の右側端の凸壁の各凸座の対応するスロット内に挿入され、該右側板が各該水平凸軸を中心として該底板の内側に向けて折畳可能とされ、該右側板が回され直立状とされる時、その下端の外側面が該底板の右側端の凸壁の内側面に係止される、上記右側板と、
背板であって、その底端に少なくとも一つの、該底板の後端の凸壁の凸座が挿入される凹部が設けられ、該凹部内に少なくとも一つの水平凸軸が設けられ、各該水平凸軸が該底板の後端の凸壁の各凸座の対応するスロット内に挿入され、該背板が各該水平凸軸を中心として該底板の内側に向けて折畳可能とされ、該背板が回され直立状とされる時、その下端の外側面が該底板の後端の凸壁の内側面に係止される、上記背板と、
面板であって、該左側板、右側板が直立状態のとき、該底板と該左側板、右側板の前端に固定される、上記面板と、
を包含したことを特徴とする、折畳式引出し装置。
【請求項２】
請求項１記載の折畳式引出し装置において、該面板の内側面の、前記左側板、右側板の前端に対応する部分に少なくとも一つの掛け孔が設けられ、該掛け孔の孔径は上端が下端より大きく、該左側板、右側板の前端の該掛け孔に対応する位置にそれぞれ少なくとも一つの、頭部を具えた凸フックが設けられ、該凸フックが該掛け孔内に係合されて、該面板が該左側板、右側板と接続されることを特徴とする、折畳式引出し装置。
【請求項３】
請求項１記載の折畳式引出し装置において、該面板の内側面の下端近くに凹面が設けられ、該凹面の前端に、少なくとも１片の上向きに突出する挿入片が設けられ、該底板の前端に凸縁が設けられ、該凸縁に少なくとも一つの挿入孔が設けられて該面板の挿入片の挿入に供され、且つ該底板の前端の凸縁は該面板の凹面内に嵌め込まれ、これにより該面板と該底板が接続されることを特徴とする、折畳式引出し装置。
【請求項４】
請求項１記載の折畳式引出し装置において、該底板の左右側端の凸壁の高さは後端の凸壁の高さよりやや高いことを特徴とする、折畳式引出し装置。
【請求項５】
請求項１記載の折畳式引出し装置において、該左側板、右側板の後端の内側面にそれぞれ凸粒が設けられ、該背板が直立状とされるとき、これら二つの凸粒が該背板の前端に係止されることを特徴とする、折畳式引出し装置。
【請求項６】
請求項１記載の折畳式引出し装置において、該左側板、右側板の後端に開口が前向きに延伸された直立状の挿入片が設けられ、該背板の両端それぞれに開口が後ろ向きの直立状の挿入溝が設けられ、該背板が直立状とされるとき、該左側板、右側板の挿入片が該背板の両端の挿入溝内に挿入されることを特徴とする、折畳式引出し装置。
【発明の詳細な説明】
【技術分野】
【０００１】
本発明は一種の折畳式引出し装置に係り、特に、収納、ストック、運送に便利な折畳式引出し装置に関する。
【背景技術】
【０００２】
収納装置の内部には必然的に物品を収容するための空間があり、ゆえに収納装置は一定の体積を有する。該収納装置の体積の大きさと内部空間の大きさには直接の関係がある。収納装置の内部空間が比較的大きい時、その体積は比較的大きい。
【０００３】
市場には一種のキャビネットがあり、それは起立形態の架体、及び該架体に設置された複数の引出しを包含する。架体が分解、組立不能な固定形式であるとき、包装体積は過大となり、運送に不利となる。ゆえに、市場のキャビネットの架体のほとんどは分解してロッドとなすことができ、体積を減らして運送コストを下げられるものとされる。
【０００４】
しかし、該キャビネットの引出しは一定の体積を有するため、キャビネット包装後の体積をあまり小さくできない。引出しの体積を減らすために、各引出しの周壁を斜面状に設計して各引出しを相互に重ねられるようにすることができる。このような引出しの上端の幅は底端の幅より大きく、このため引出しを架体に組み合わせた後には多くの空隙が現出し、非常に見苦しく、商品の質感が大幅に下がる。
【発明の開示】
【発明が解決しようとする課題】
【０００５】
本発明の主要な目的は、一種の折畳式引出し装置を提供することにあり、それは折畳んで扁平状となすことができ、それにより占拠する空間を大幅に減らし、収納、ストック、運送に便利であるものとする。
【０００６】
本発明の次の目的は、一種の折畳式引出し装置を提供することにあり、それは引出し装置が折畳め、及びキャビネットが分解、組立可能であることにより、全体のキャビネットの包装体積を減らせ、ストック、運送に便利であるものとする。
【課題を解決するための手段】
【０００７】
請求項１の発明は、折畳式引出し装置において、
底板であって、その左右両側端及び後端にそれぞれ凸壁が設けられ、各凸壁の内側面に少なくとも一つの凸座が設けられ、該凸座に少なくとも一つのスロットが設けられた、上記底板と、
左側板であって、その底端に少なくとも一つの、該底板の左側端の凸壁の凸座が挿入される凹部が設けられ、該凹部内に少なくとも一つの水平凸軸が設けられ、各該水平凸軸が該底板の左側端の凸壁の各凸座の対応するスロット内に挿入され、該左側板が各該水平凸軸を中心として該底板の内側に向けて折畳可能とされ、該左側板が回され直立状とされる時、その下端の外側面が該底板の左側端の凸壁の内側面に係止される、上記左側板と、
右側板であって、その底端に少なくとも一つの、該底板の右側端の凸壁の凸座が挿入される凹部が設けられ、該凹部内に少なくとも一つの水平凸軸が設けられ、各該水平凸軸が該底板の右側端の凸壁の各凸座の対応するスロット内に挿入され、該右側板が各該水平凸軸を中心として該底板の内側に向けて折畳可能とされ、該右側板が回され直立状とされる時、その下端の外側面が該底板の右側端の凸壁の内側面に係止される、上記右側板と、
背板であって、その底端に少なくとも一つの、該底板の後端の凸壁の凸座が挿入される凹部が設けられ、該凹部内に少なくとも一つの水平凸軸が設けられ、各該水平凸軸が該底板の後端の凸壁の各凸座の対応するスロット内に挿入され、該背板が各該水平凸軸を中心として該底板の内側に向けて折畳可能とされ、該背板が回され直立状とされる時、その下端の外側面が該底板の後端の凸壁の内側面に係止される、上記背板と、
面板であって、該左側板、右側板が直立状態のとき、該底板と該左側板、右側板の前端に固定される、上記面板と、
を包含したことを特徴とする、折畳式引出し装置としている。
請求項２の発明は、請求項１記載の折畳式引出し装置において、該面板の内側面の、前記左側板、右側板の前端に対応する部分に少なくとも一つの掛け孔が設けられ、該掛け孔の孔径は上端が下端より大きく、該左側板、右側板の前端の該掛け孔に対応する位置にそれぞれ少なくとも一つの、頭部を具えた凸フックが設けられ、該凸フックが該掛け孔内に係合されて、該面板が該左側板、右側板と接続されることを特徴とする、折畳式引出し装置としている。
請求項３の発明は、請求項１記載の折畳式引出し装置において、該面板の内側面の下端近くに凹面が設けられ、該凹面の前端に、少なくとも１片の上向きに突出する挿入片が設けられ、該底板の前端に凸縁が設けられ、該凸縁に少なくとも一つの挿入孔が設けられて該面板の挿入片の挿入に供され、且つ該底板の前端の凸縁は該面板の凹面内に嵌め込まれ、これにより該面板と該底板が接続されることを特徴とする、折畳式引出し装置としている。
請求項４の発明は、請求項１記載の折畳式引出し装置において、該底板の左右側端の凸壁の高さは後端の凸壁の高さよりやや高いことを特徴とする、折畳式引出し装置としている。
請求項５の発明は、請求項１記載の折畳式引出し装置において、該左側板、右側板の後端の内側面にそれぞれ凸粒が設けられ、該背板が直立状とされるとき、これら二つの凸粒が該背板の前端に係止されることを特徴とする、折畳式引出し装置としている。
請求項６の発明は、請求項１記載の折畳式引出し装置において、該左側板、右側板の後端に開口が前向きに延伸された直立状の挿入片が設けられ、該背板の両端それぞれに開口が後ろ向きの直立状の挿入溝が設けられ、該背板が直立状とされるとき、該左側板、右側板の挿入片が該背板の両端の挿入溝内に挿入されることを特徴とする、折畳式引出し装置としている。
【発明の効果】
【０００８】
本発明の提供する折畳式引出し装置は、折畳んで扁平状として大幅に体積を縮小でき、ストック、運送に便利とすることができる。本発明の引出しは分解、組立可能なキャビネットに使用でき、大幅に該キャビネット包装時の体積を減らし、運賃を節約できる。
【発明を実施するための最良の形態】
【０００９】
本発明の提供する折畳式引出し装置は、底板、左側板、右側板、背板、面板を組み合わせてなる。そのうち、左側板と右側板、背板は底板の内側に向けて折り重ねられ、引出しを折り畳んで扁平状とすることができる。該面板は引出しより取り外せ、折畳後の引出し上方に重ね置いて大幅に該引出し装置収納時の体積を減らせる。
【００１０】
該引出し装置の底板の左右両側端及び後端に凸壁を設け、各凸壁の内側面にそれぞれ二つの凸座を設け、該凸座の二端それぞれにスロットを設ける。該左側板、右側板、背板の底端それぞれに二つの凹部を設けて、底板の対応する凸座を挿入する。各該凹部内にそれぞれ二つの水平凸軸を設けて対応する該凸座の二端のスロット内に嵌入し、該左側板、右側板を該底板上に組合せ、且つ各水平凸軸を中心として底板の内側に向けて折り重ねられるようにする。
【００１１】
本発明の提供する折畳式引出し装置は、該面板が左側板と右側板を開いて直立状とした後に、該底板と該左側板と右側板の前端に組み合わされ、該左側板と右側板を固定して直立状態に維持することができる。
【実施例１】
【００１２】
図１、２を参照されたい。本発明の折畳式引出し装置は、底板１０、左側板２０、右側板３０、背板４０、面板５０が組み合わされてなる。そのうち、左側板２０、右側板３０、背板４０は底板１０の内側に向けて折り重ねられ、引出しを折り畳んで扁平状とすることができ、これは図１０に示されるとおりである。
【００１３】
図３を参照されたい。該底板１０の左右両側端及び後端にはそれぞれ凸壁１１、１２、１３が設けられ、各凸壁１１、１２、１３の内側面にそれぞれ二つの凸座１４、１５、１６が設けられる。各該凸座１４、１５、１６の両端上端それぞれに一つのスロット１４１、１５１、１６１が設けられる。
【００１４】
図４も併せて参照されたい。該左側板２０の底端に二つの凹部２１が設置され、各該凹部２１は該底板１０の左側端の凸壁１１の各凸座１４の位置に対応するよう設置される。各該凹部２１の両側壁それぞれに水平状の水平凸軸２２が設けられる。該左側板２０の凹部２１は該底板１０の左端の凸壁１１の凸座１４に対向し、並びに該凹部２１内の水平凸軸２２が対応するスロット１４１内に嵌め込まれ、該左側板２０が該底板１０に組み合わされる。該左側板２０は各該水平凸軸２２を中心として該底板１０の内側に向けて折畳まれる。該左側板２０が回されて直立状に立てられるとき、該底板１０の左側端の凸壁１１は該左側板２０下端の外端に当接し、これにより該左側板２０がそれ以上底板１０の外側に向けて回転不能となる。
【００１５】
図５も併せて参照されたい。該右側板３０の底端に二つの凹部３１が設置され、各該凹部３１は該底板１０の右側端の凸壁１２の各凸座１５の位置に対応するよう設置される。各該凹部３１の両側壁それぞれに水平状の水平凸軸３２が設けられる。該右側板３０の凹部３１は該底板１０の右端の凸壁１２の凸座１５に対向し、並びに該凹部３１内の水平凸軸３２が対応するスロット１５１内に嵌め込まれ、該右側板３０が該底板１０に組み合わされる。該右側板３０は各該水平凸軸３２を中心として該底板１０の内側に向けて折畳まれる。該右側板３０が回されて直立状に立てられるとき、該底板１０の右側端の凸壁１２は該右側板３０下端の外端に当接し、これにより該右側板３０がそれ以上底板１０の外側に向けて回転不能となる。
【００１６】
図６も併せて参照されたい。該背板４０の底端に二つの凹部４１が設置され、各該凹部４１は該底板１０の後端の凸壁１３の各凸座１６の位置に対応するよう設置される。各該凹部４１の両側壁それぞれに水平状の水平凸軸４２が設けられる。該背板４０の凹部４１は該底板１０の後端の凸壁１３の凸座１６に対向し、並びに該凹部４１内の水平凸軸４２が対応するスロット１６１内に嵌め込まれ、該背板４０が該底板１０に組み合わされる。該背板４０は各該水平凸軸４２を中心として該底板１０の内側に向けて折畳まれる。該背板４０が回されて直立状に立てられるとき、該底板１０の後端の凸壁１３は該背板４０下端の外端に当接し、これにより該背板４０がそれ以上底板１０の外側に向けて回転不能となる。
【００１７】
図７は左側板２０の水平凸軸２２と底板１０の凸座１４の嵌合状態を示す。該左側板２０の水平凸軸２２の前端は該凸座１４のスロット１４１内に進入する。該水平凸軸２２の前端は斜面設計を採用し、これにより該水平凸軸２２前端の下端が該凸座１４に圧接するとき、やや湾曲し、これにより該水平凸軸２２が該凸座１４の上端を跨ぐことができ、ならびにスロット１４１に対向するとき、水平状に回復し、並びに該スロット１４１内に嵌入する。該右側板３０の水平凸軸３２は同じ組立方式で該底板１０の右側端の凸座１５のスロット１５１内に嵌入させられる。該背板４０の水平凸軸４２は同じ組立方式で該底板１０の後端の凸座１６のスロット１６１内に嵌入させられる。
【００１８】
該面板５０は、該左側板２０、右側板３０が直立状態を呈するとき、該底板１０と該左側板２０、右側板３０の前端に固定され、結合されて完全な引出し装置を構成する。図８に示されるように、該面板５０の内側面の、該左側板２０、右側板３０前端に対応する部分には、それぞれ上下の二つの掛け孔５１が設置される。該掛け孔５１の孔径は上端が大きく、下端が小さい。該左側板２０、右側板３０の前端の該掛け孔５１に対応する位置にはそれぞれ上下の二つの、頭部を具えた凸フック２３、３３が設けられる。該左側板２０、右側板３０の凸フック２３、３３を該掛け孔５１の上端より挿入し、並びに該面板を上に起こし、該凸フック２３、３３を該掛け孔５１の下端に挿入し、該面板５０を左側板２０、右側板３０と接続する。図９には右側板３０と面板５０の接続状態の断面が示される。該左側板２０と面板５０の連結構造は、右側板３０と面板５０の連結構造と同じである。該面板５０の内側面の下端近くに凹面５２が設けられ、該凹面５２の前端に少なくとも１片の上向きに突出する挿入片５３が設けられ、また、該面板５０の内側面の下端近くの両端近くに薄片５４が設けられ、該薄片５４の前端に凸粒５５が連設される。該底板１０の左右両端の底端にそれぞれスリット１８が設けられる。該面板５０が該底板１０に組み合わされるとき、該薄片５４がスリット１８内に挿入され、且つ該凸粒５５が底板１０前端面の後端に係止され、これは図１０に示されるとおりである。
【００１９】
引出しが折り畳まれて扁平状とされる時、先ず該面板５０を取り外さなければならない。面板５０を取り外す時には、面板５０を下向きに移動させて、強制的に面板５０の挿入片５３を底板１０の溝より脱出させ、且つ該左側板２０、右側板３０前端の凸フック２３、３３を該面板５０の掛け孔５１より脱出させる。こうして該面板５０を底板１０、左側板２０、右側板３０より離脱させる。各板面を折畳む時は、まず該背板４０と左側板２０、右側板３０を順に折畳んで扁平状とし、大幅に体積を縮小し、図１２に示される状態となす。取り外した面板５０は平置き方式で図１２に示される物品の上方に置き、折畳んだ引出しの収納状態を達成する。
【００２０】
引出しを展開使用する時は、まず、左側板２０、右側板３０を回して直立状に起こし、さらに背板４０を直立状となし、並びに背板４０の両側を左側板２０、右側板３０の内側面に当接させることで、左側板２０、右側板３０を直立状に維持する。該左側板２０、右側板３０の後端の内側面にはそれぞれ凸粒２５、３５が設けられ、該背板４０が直立状とされる時、これら二つの凸粒２５、３５は該背板４０の前端に当接し、背板４０を直立状に維持する。該左側板２０、右側板３０の内側面の後端には前向きに延伸された直立状の凸片２４、３４が設けられている。該背板４０の両端それぞれに開口が後ろ向きの直立状挿入溝４３が設けられている。図１３に示されるように、該背板４０が直立状とされる時、該左側板２０、右側板３０の凸片２４、３４はそれぞれ該背板４０の挿入溝４３内に挿入され、該背板４０に該左側板２０、右側板３０の後端に対する係止作用を発生させ、分離不能とする。その間、該左側板２０、右側板３０の凸片２４、３４は該背板４０の挿入溝４３の内壁面に当接し、支持作用を発生し、これにより左側板２０、右側板３０と該背板４０の間の組合せの結合力を良好とする。最後に面板５０を前述の方式で底板１０と左側板２０、右側板３０の前端に組合せて、展開状態の立体構造の引出しを構成する。
【００２１】
該底板１０の左右側端の凸壁１１、１２の高さは後端の凸壁１３の高さよりやや高い。すなわち、引出しを折畳む時、まず背板４０を底板１０の内側に向けて折畳み、該背板４０を平置き状となす。さらに左側板２０、右側板３０を底板１０の内側に向けて折畳み、左側板２０、右側板３０を平置き状となし、並びに該背板４０の上方を制圧するようにする。包装時には、ただ面板５０を該左側板２０、右側板３０の上方に置けばよい。
【００２２】
前述の底板１０の両側辺にそれぞれ１本の水平状の凹溝１９が設けられる。該凹溝１９は軌道（図示せず）を提供して、該引出しを該軌道に沿って前後にスライド可能とする。該軌道の設置は周知の技術に属するため、詳しい説明は省略する。
【図面の簡単な説明】
【００２３】
【図１】本発明の実施例の外観図である。
【図２】図１の実施例の分解図である。
【図３】本発明中、底板の外観図である。
【図４】本発明中、右側板の外観図である。
【図５】本発明中、左側板の外観図である。
【図６】本発明中、背板の外観図である。
【図７】本発明中、右側板の凹部と底板の凸座の組合せの断面図である。
【図８】本発明中、面板の外観図である。
【図９】本発明中、面板の引出しへの組合せの断面図一である。
【図１０】本発明中、面板の引出しへの組合せの断面図二である。
【図１１】本発明中、背板の折畳動作表示図である。
【図１２】本発明中、左側板、右側板の折畳完成状態図である。
【図１３】本発明中、背板と左側板、右側板の係合状態の断面図である。
【符号の説明】
【００２４】
１０  底板
１１、１２、１３  凸壁
１４、１５、１６  凸座
１４１、１５１、１６１  スロット
１７  凸縁
１７１  挿入孔
１８  スリット          １９  凹溝
２０  左側板            ２１  凹部
２２  水平凸軸          ２３  凸フック
２４  凸片              ２５  凸粒
３０  右側板            ３１  凹部
３２  水平凸軸          ３３  凸フック
３４  凸片              ３５  凸粒
４０  背板              ４１  凹部
４２  水平凸軸          ４３  挿入溝
５０  面板              ５１  掛け孔
５２  凹面              ５３  挿入片
５４  薄片              ５５  凸粒
【図１】
2009051508.tif 000003
【図２】
2009051508.tif 000004
【図３】
2009051508.tif 000005
【図４】
2009051508.tif 000006
【図５】
2009051508.tif 000007
【図６】
2009051508.tif 000008
【図７】
2009051508.tif 000009
【図８】
2009051508.tif 000010
【図９】
2009051508.tif 000011
【図１０】
2009051508.tif 000012
【図１１】
2009051508.tif 000013
【図１２】
2009051508.tif 000014
【図１３】
2009051508.tif 000015
【手続補正書】
【提出日】平成19年8月29日(2007.8.29)
【手続補正１】
【補正対象書類名】明細書
【補正対象項目名】００１２
【補正方法】変更
【補正の内容】
【００１２】
図１、２を参照されたい。本発明の折畳式引出し装置は、底板１０、左側板２０、右側板３０、背板４０、面板５０が組み合わされてなる。そのうち、左側板２０、右側板３０、背板４０は底板１０の内側に向けて折り重ねられ、引出しを折り畳んで扁平状とすることができ、これは図１２に示されるとおりである。
【手続補正２】
【補正対象書類名】明細書
【補正対象項目名】００１８
【補正方法】変更
【補正の内容】
【００１８】
該面板５０は、該左側板２０、右側板３０が直立状態を呈するとき、該底板１０と該左側板２０、右側板３０の前端に固定され、結合されて完全な引出し装置を構成する。図８に示されるように、該面板５０の内側面の、該左側板２０、右側板３０前端に対応する部分には、それぞれ上下の二つの掛け孔５１が設置される。該掛け孔５１の孔径は上端が大きく、下端が小さい。該左側板２０、右側板３０の前端の該掛け孔５１に対応する位置にはそれぞれ上下の二つの、頭部を具えた凸フック２３、３３が設けられる。該左側板２０、右側板３０の凸フック２３、３３を該掛け孔５１の上端より挿入し、並びに該面板を上に起こし、該凸フック２３、３３を該掛け孔５１の下端に挿入し、該面板５０を左側板２０、右側板３０と接続する。図９には右側板３０と面板５０の接続状態の断面が示される。該左側板２０と面板５０の連結構造は、右側板３０と面板５０の連結構造と同じである。該面板５０の内側面の下端近くに凹面５２が設けられ、該凹面５２の前端に少なくとも１片の上向きに突出する挿入片５３が設けられ、また、該面板５０の内側面の下端近くの両端近くに薄片５４が設けられ、該薄片５４の前端に凸粒５５が連設される。該底板１０の左右両端の底端にそれぞれスリット１８が設けられる。該面板５０が該底板１０に組み合わされるとき、該薄片５４がスリット１８内に挿入され、且つ該凸粒５５が底板１０前端面の後端に係止され、これは図９に示されるとおりである。
【手続補正３】
【補正対象書類名】明細書
【補正対象項目名】００２３
【補正方法】変更
【補正の内容】
【００２３】
【図１】本発明の実施例の外観図である。
【図２】図１の実施例の分解図である。
【図３】本発明中、底板の外観図である。
【図４】本発明中、左側板の外観図である。
【図５】本発明中、右側板の外観図である。
【図６】本発明中、背板の外観図である。
【図７】本発明中、左側板の凹部と底板の凸座の組合せの断面図である。
【図８】本発明中、面板の外観図である。
【図９】本発明中、面板の引出しへの組合せの断面図一である。
【図１０】本発明中、面板の引出しへの組合せの断面図二である。
【図１１】本発明中、背板の折畳動作表示図である。
【図１２】本発明中、左側板、右側板の折畳完成状態図である。
【図１３】本発明中、背板と左側板、右側板の係合状態の断面図である。
【手続補正４】
【補正対象書類名】図面
【補正対象項目名】図２
【補正方法】変更
【補正の内容】
【図２】
2009051508.tif 000016